(57)【要約】【課題】  本考案は、貸し主や管理会社等が空き部屋を清掃または改装する場合、簡単に電気を使用することができ、電気の使用者の所在を明確にすることができる自動切替配電装置の提供を課題とする。【解決手段】各部屋の電気の使用容量を測定する部屋用メータ１２と、各部屋用メータ１２と並列的に設けられ、空き部屋の電気の使用容量を測定する共用メータ１３と、部屋用メータ１２と共用メータ１３に接続される配電盤１１とを備える。この配電盤１１は、金属製又は合成樹脂製のケース１１ａと、該ケース１１ａに収納され回路の接続若しくは切断を実行する複数のブレーカ１１ｂと、部屋用メータ１２と共用メータ１３との間において電気の使用容量の測定を切り替える切替器２とが設けられている。【選択図】  図１
0003137348.tif 000002
【実用新案登録請求の範囲】
【請求項１】
各部屋の電気の使用容量を測定する部屋用メータと、
各部屋用メータと並列的に設けられ、空き部屋の電気の使用容量を測定する共用メータと、
前記部屋用メータと共用メータに接続される配電盤とを備え、
該配電盤は、金属製又は合成樹脂製のケースと、該ケースに収納され回路の接続若しくは切断を実行する複数のブレーカと、前記部屋用メータと共用メータとの間において電気の使用容量の測定を切り替える切替器とが設けられていることを特徴とする自動切替配電装置。
【請求項２】
前記切替器は、インターネット等のネットワークを介して電力会社等のコンピュータに接続されている請求項１に記載の自動切替配電装置。
【請求項３】
前記配電盤は、共用メータを介した電気のみが供給される専用コンセントが接続されている自動切替配電装置。
【考案の詳細な説明】
【技術分野】
【０００１】
本考案は、ケースにブレーカを収納し、回路の接続若しくは切断をする配電盤の改良に関するものである。
【背景技術】
【０００２】
従来、配電盤（１１’）は、図２に示すように、金属製又は合成樹脂製のケース（１１ａ’）と、該ケース（１１ａ’）に収納され回路の接続若しくは切断を実行する複数のブレーカ（１１ｂ’）が設けられ、外部から供給された電気を部屋のコンセントや電灯に電気を分けて供給していた。そして、電気の使用容量の測定に際しては、主に建物の外部に設置された部屋用メータ（１２’）が配電盤（１１’）を通じて供給された電気の使用容量を測定するというものであった。
【０００３】
ところで、賃貸マンション等の賃貸用部屋が空きになった場合、貸し主や管理会社は次の賃貸のために当該空部屋の清掃や改装に際して電気を使用する。このときの電気の使用については、貸し主や管理会社は電力会社に清掃または改装するごとにその旨を説明する必要があった。あるいはこのときの電気の使用者の所在が不明確になる場合も少なくなかった。
【考案の開示】
【考案が解決しようとする課題】
【０００４】
本考案は、上述の事情に鑑みてなされたものであって、貸し主や管理会社等が空き部屋を清掃または改装する場合、簡単に電気を使用することができ、電気の使用者の所在を明確にすることができる自動切替配電装置の提供を課題とする。
【課題を解決するための手段】
【０００５】
本考案は、上記課題を解決するために、各部屋の電気の使用容量を測定する部屋用メータと、各部屋用メータと並列的に設けられ、空き部屋の電気の使用容量を測定する共用メータと、前記部屋用メータと共用メータに接続される配電盤とを備え、該配電盤は、金属製又は合成樹脂製のケースと、該ケースに収納され回路の接続若しくは切断を実行する複数のブレーカと、前記部屋用メータと共用メータとの間において電気の使用容量の測定を切り替える切替器とが設けられていることを特徴とする。
【０００６】
これによれば、配電盤に設けられた切替器を適宜切り替えることによって、通常時は部屋用メータにより電気の使用容量を測定し、部屋が空いた時には共用メータにより電気使用容量を測定することができる。
【０００７】
また、前記切替器は、インターネット等のネットワークを介して電力会社等のコンピュータに接続されてもよい。これによれば貸し主や管理会社等がわざわざ現場の空き部屋に赴く必要がなくなり、連絡により遠隔地から簡単にメータを切り替えることができる。
【０００８】
また、前記配電盤は、共用メータを介した電気のみが供給される専用コンセントが接続されてもよい。これによれば各種電気器具を専用コンセントに差し込むことによって簡単に共用メータにて電気の使用容量を測定することができる。
【考案の効果】
【０００９】
本考案によれば、配電盤に設けられた切替器を適宜切り替えることによって、通常時は部屋用メータにより電気の使用容量を測定し、部屋が空いた時には共用メータにより電気使用容量を測定することができる。すなわち、貸し主や管理会社等は空き部屋の清掃や改装等に必要な電気を共用メータにより利用することができ、作業毎に必要であった電力会社への連絡を省略することができる。
【００１０】
また、インターネットを介して電力会社のコンピュータに接続すれば、貸し主や管理会社等がわざわざ現場の空き部屋に赴く必要がなくなり、連絡により遠隔地から簡単にメータを切り替えることができ、メータの切替、使用可否等の選択・操作が容易となる。
【００１１】
さらに、配電盤に共用メータのための専用コンセントが設けられている場合、各種電気器具を専用コンセントに差し込むことによって簡単に共用メータにて電気の使用容量を測定することができ、より一層簡単にメータを切り替えることが可能となる。
【考案を実施するための最良の形態】
【００１２】
次に本考案の一実施形態について説明する。
【００１３】
図１は、本実施形態に係る自動切替配電装置（以下、本装置という）の構成概略図である。
【００１４】
本装置（１）は、各部屋に設けられた配電盤（１１）と、該配電盤（１１）ごとに接続された部屋用メータ（１２）と、各部屋用メータ（１２）と並列に設けられた共用メータ（１３）とから構成される。
【００１５】
なお、本説明および図面では、説明の便宜上、一つの部屋に設けられた配電盤（１１）、部屋用メータ（１２）および共用メータ（１３）について説明する。
【００１６】
前記配電盤（１１）は、金属製又は合成樹脂製のケース（１１ａ）と、該ケース（１１ａ）に収納され回路の接続若しくは切断を実行する複数のブレーカ（１１ｂ）とが設けられており、各部屋の台所や洗面所などの目立たない所に設置されている。
【００１７】
この配電盤（１１）は、通常、配電盤（１１）に流れてきた電気をブレーカ（１１ｂ）を介して各部屋のコンセントや電灯（Ａ）に供給するようになっているが、あるブレーカ（１１ｂ）を落とすと当該ブレーカ（１１ｂ）に対応するコンセントや電灯（Ａ）への電気の供給が停止することになる。さらに電子レンジやヘアドライヤーなどの消費電力量が高い電気器具が使用された場合には、所定の電気の使用容量を越えることになり対応するブレーカ（１１ｂ）を自動的に落ちる仕組みとなされている場合が多い。
【００１８】
また、この配電盤（１１）には、前記部屋用メータ（１２）と共用メータ（１３）との間において電気の使用容量の測定を切り替える切替器（２）が設けられている。具体的には、配電盤（１１）は、通常、部屋用メータ（１２）を介して供給されてきた電気を受け、その電気をブレーカ（１１ｂ）を介して各部屋のコンセントや電灯（Ａ）に供給するが、このときの電気の使用容量は部屋用メータ（１２）により測定される。部屋用メータ（１２）により測定された電気の使用容量は当該メータの表示部に表示され、電力会社や貸し主などに検針され、最終的には電気の使用容量に対する電気料金が請求される。
【００１９】
ところが、賃貸マンション等の賃貸用部屋が空きになった場合、貸し主や管理会社は次の賃貸のために当該空部屋の清掃や改装に際して電気を使用することが多い。このときの電気の使用については、貸し主や管理会社は電力会社に清掃または改装するごとにその旨を説明する必要があった。あるいはこのときの電気の使用者の所在が不明確になる場合も少なくなかった。
【００２０】
そこで、配電盤（１１）における切替器（２）により部屋用メータ（１２）から共用メータ（１３）に切り替えることによって、次に切り替えられるまでの間、配電盤（１１）は共用メータ（１３）を介して供給されてきた電気を受け、その電気をブレーカ（１１ｂ）を介して各部屋のコンセントや電灯（Ａ）に供給することになり、このときの電気の使用容量は共用メータ（１３）により測定される。
【００２１】
このため、貸し主や管理会社等は空き部屋の清掃や改装等に必要な電気を共用メータ（１３）により利用することができ、作業毎に必要であった電力会社への連絡を省略することができる。
【００２２】
また、インターネットを介して電力会社のコンピュータ（３）に接続すれば、貸し主や管理会社等がわざわざ現場の空き部屋に赴く必要がなくなり、連絡により遠隔地から簡単にメータを切り替えることができ、メータの切替、使用可否等の選択・操作が容易となる。
【００２３】
さらに、配電盤（１１）に共用メータ（１３）のための専用コンセント（４）が設けられている場合、各種電気器具を専用コンセントに差し込むことによって簡単に共用メータ（１３）にて電気の使用容量を測定することができ、より一層簡単にメータを切り替えることが可能となる。
【図面の簡単な説明】
【００２４】
【図１】本装置の構成概略図である。
【図２】従来の装置の構成概略図である。
【符号の説明】
【００２５】
１・・・本装置
１１・・・配電盤
１１ａ・・・ケース
１１ｂ・・・ブレーカ
１２・・・部屋用メータ
１３・・・共用メータ
２・・・切替器
３・・・コンピュータ
４・・・専用コンセント
【図１】
0003137348.tif 000003
【図２】
0003137348.tif 000004
【手続補正書】
【提出日】平成19年9月18日(2007.9.18)
【手続補正１】
【補正対象書類名】実用新案登録請求の範囲
【補正対象項目名】請求項３
【補正方法】変更
【補正の内容】
【請求項３】
前記配電盤は、共用メータを介した電気のみが供給される専用コンセントが接続されている請求項１または請求項２に記載の自動切替配電装置。